(57)【要約】【課題】掲示板以外のウェブページを見ながら範囲の特定された投稿情報を容易に見ることができ、多対多型のオープンなコミュニケーションを十分に活性化させることを可能とする。【解決手段】インターネット上での各種提供者のウェブページ１３の場所を示すＵＲＬと掲示板への投稿情報とを対応させ、ＵＲＬに基づく共通性により投稿情報をまとめ、対応するＵＲＬのウェブページ１３に投稿情報を表示可能とするウェブサーバ１を備え、投稿情報の要素を表示する簡略表示と掲示板以外のウェブページ１３の投稿ページにアクセスするための投稿アクセス表示とを備えたツールバー１５をウェブページ１３に提供するウェブサーバ１を備え、ウェブサーバ１により提供されたツールバー１５上での投稿情報の簡略表示又は投稿アクセス表示のクリックにより対応する掲示板ページ１３Ａ又は投稿ページをダイレクトに表示可能としたことを特徴とする。【選択図】　　　図１
2004102470.tif 000002
【特許請求の範囲】
【請求項１】
ネットワーク上で投稿可能な掲示板及び各種情報毎のウェブページを有し、ネットワーク接続により前記ウェブページを選択的に開いて見ることができるネットワークシステムにおいて、
前記ネットワーク上での前記ウェブページの場所を示すアドレス情報と前記掲示板への投稿情報とを対応させ、
前記アドレス情報に基づく共通性により前記投稿情報をまとめ前記対応するアドレス情報のウェブページに表示可能としたことを特徴とする掲示板情報表示方法。
【請求項２】
請求項１記載の掲示板情報表示方法であって、
前記アドレス情報は、前記掲示板投稿時に投稿情報をまとめるための最小単位の名称として該投稿情報に付与するＵＲＬであり、
該ＵＲＬのドメイン及びサブドメインを用い、ドメイン＞サブドメイン＞ＵＲＬの階層構造をカテゴリとして作成して前記アドレス情報に基づく共通性とし、前記各階層のカテゴリ毎に前記投稿情報をまとめることを特徴とする掲示板情報表示方法。
【請求項３】
請求項１記載の掲示板情報表示方法であって、
前記投稿情報の要素を表示する簡略表示と現に表示しているウェブページに対応した投稿ページにアクセスするための投稿アクセス表示とを備えたツールバーを前記ウェブページに提供し、
該提供されたツールバー上での前記投稿情報の簡略表示又は前記投稿アクセス表示のクリックにより対応する掲示板ページ又は前記投稿ページをダイレクトに表示可能としたことを特徴とする掲示板情報表示方法。
【請求項４】
ネットワーク上で投稿可能な掲示板及び各種情報毎のウェブページを有し、ネットワーク接続により前記ウェブページを選択的に開いて見ることができるネットワークシステムにおいて、
前記各種提供者のウェブページの提供要求を受け付け要求のあったウェブページを提供するウェブページ提供手段と、
前記ネットワーク上での前記ウェブページの場所を示すアドレス情報と前記掲示板への投稿情報とを対応させ前記アドレス情報に基づく共通性により前記投稿情報をまとめ前記対応するアドレス情報のウェブページに表示可能とする出力手段とを備えたことを特徴とする掲示板情報表示システム。
【請求項５】
請求項４記載の掲示板情報表示システムであって、
前記アドレス情報は、前記掲示板投稿時に投稿情報をまとめるための最小単位の名称として該投稿情報に付与するＵＲＬであり、
該ＵＲＬのドメイン及びサブドメインを用い、ドメイン＞サブドメイン＞ＵＲＬの階層構造をカテゴリとして作成して前記アドレス情報に基づく共通性とし、前記出力手段は、各階層のカテゴリ毎に前記投稿情報をまとめることを特徴とする掲示板情報表示システム。
【請求項６】
請求項５記載の掲示板情報表示システムであって、
前記投稿情報の要素を表示する簡略表示と現に表示しているウェブページに対応した投稿ページにアクセスするための投稿アクセス表示とを備えたツールバーを前記ウェブページに提供するツールバー提供手段を備え、
該ツールバー提供手段により提供されたツールバー上での前記投稿情報の簡略表示又は前記投稿アクセス表示のクリックにより対応する掲示板ページ又は投稿ページをダイレクトに表示可能としたことを特徴とする掲示板情報表示システム。
【発明の詳細な説明】
【０００１】
【発明の属する技術分野】
本発明は、通信ネットワークを介して提供されるウェブページ（ｗｅｂページ）での掲示板の利便性を高めることのできる掲示板情報表示方法及び掲示板情報表示システムに関する。
【０００２】
【従来の技術】
従来より通信ネットワーク上で利用される掲示板に関する技術としては、例えば「インターネット掲示板システム」、「情報提供方法とそのシステム及び情報提供装置」がある。
【０００３】
前記「インターネット掲示板システム」は、ネットワーク上の複数の定置型パソコン及び携帯電話からサーバーコンピュータを介して掲示板記載内容を入力し、送受信を行って交信相手が前記定置型パソコンか携帯電話かを判別しつつ両者をそれぞれ接続させて交信させるものである。これによって複数の定置型パソコンと携帯電話との間で掲示板への投稿情報の情報交換を相互に円滑に行うと共に交信相手の確認が容易にできるものである（例えば、特許文献１参照。）。
【０００４】
前記「情報提供方法とそのシステム及び情報提供装置」は、ウェブページにおいて同一の情報に対して提供要求を行った利用者が、掲示板への投稿を可能にしたものである（例えば、特許文献２参照。）。
【０００５】
【特許文献１】
特開２００２−７３４６５号公報
【特許文献２】
特開２００２−１７５３２３号公報
【０００６】
【発明が解決しようとする課題】
しかしながら、いずれに記載のものも掲示板にアクセスしないと投稿情報の内容を見ることはできず、掲示板以外のウェブページを見ているだけでは投稿の動機付けがなされず、掲示板の読者数が限定されてしまうという問題があった。
【０００７】
すなわち、掲示板以外のウェブページを見ているユーザは、掲示板の範囲の特定された投稿情報を見ることができないため、リンク等によって掲示板ページにアクセスし、ジャンル、カテゴリ、トピックなど階層分化したリストからコミュニケーションの内容にふさわしい場所を選択した上でコミュニケーションを行うという手間が必要となる。このため、投稿情報を見るためにいちいちリンクで行き来するのは煩雑であるなどコミュニケーションの敷居が高くなり、システムを利用するユーザーの比率が低くなっていた。この結果、多対多型のオープンなコミュニケーションが十分に活性化されないという問題があった。
【０００８】
本発明は、掲示板以外のウェブページを見ながら範囲の特定された投稿情報を容易に見ることができ、掲示板を手間なく簡単に利用することができ、多対多型のオープンなコミュニケーションを十分に活性化させることのできる掲示板情報表示方法、掲示板情報表示システムの提供を課題とする。
【０００９】
【課題を解決するための手段】
請求項１の発明は、ネットワーク上で投稿可能な掲示板及び各種情報毎のウェブページを有し、ネットワーク接続により前記ウェブページを選択的に開いて見ることができるネットワークシステムにおいて、前記ネットワーク上での前記ウェブページの場所を示すアドレス情報と前記掲示板への投稿情報とを対応させ、前記アドレス情報に基づく共通性により前記投稿情報をまとめ前記対応するアドレス情報のウェブページに表示可能としたことを特徴とする。
【００１０】
請求項２の発明は、請求項１記載の掲示板情報表示方法であって、前記アドレス情報は、前記掲示板投稿時に該投稿情報に投稿情報をまとめるための最小単位の名称として該投稿情報に付与するＵＲＬであり、該ＵＲＬのドメイン及びサブドメインを用い、ドメイン＞サブドメイン＞ＵＲＬの階層構造をカテゴリとして作成して前記アドレス情報に基づく共通性とし、前記各階層のカテゴリ毎に前記投稿情報をまとめることを特徴とする。
【００１１】
請求項３の発明は、請求項１記載の掲示板情報表示方法であって、前記投稿情報の要素を表示する簡略表示と現に表示しているウェブページに対応した投稿ページにアクセスするための投稿アクセス表示とを備えたツールバーを前記ウェブページに提供し、該提供されたツールバー上での前記投稿情報の簡略表示又は前記投稿アクセス表示のクリックにより対応する掲示板ページ又は前記投稿ページをダイレクトに表示可能としたことを特徴とする。
【００１２】
請求項４の発明は、ネットワーク上で投稿可能な掲示板及び各種情報毎のウェブページを有し、ネットワーク接続により前記ウェブページを選択的に開いて見ることができるネットワークシステムにおいて、前記ウェブページの提供要求を受け付け要求のあったウェブページを提供するウェブページ提供手段と、前記ネットワーク上での前記ウェブページの場所を示すアドレス情報と前記掲示板への投稿情報とを対応させ、前記アドレス情報に基づく共通性により前記投稿情報をまとめ前記対応するアドレス情報のウェブページに表示可能とする出力手段とを備えたことを特徴とする。
【００１３】
請求項５の発明は、請求項４記載の掲示板情報表示システムであって、前記アドレス情報は、前記掲示板投稿時に投稿情報をまとめるための最小単位の名称として該投稿情報に付与するＵＲＬであり、該ＵＲＬのドメイン及びサブドメインを用い、ドメイン＞サブドメイン＞ＵＲＬの階層構造をカテゴリとして作成して前記アドレス情報に基づく共通性とし、前記出力手段は、各階層のカテゴリ毎に前記投稿情報をまとめることを特徴とする。
【００１４】
請求項６の発明は、請求項５記載の掲示板情報表示システムであって、前記投稿情報の要素を表示する簡略表示と現に表示しているウェブページに対応した投稿ページにアクセスするための投稿アクセス表示とを備えたツールバーを前記ウェブページに提供するツールバー提供手段を備え、該ツールバー提供手段により提供されたツールバー上での前記投稿情報の簡略表示又は前記投稿アクセス表示のクリックにより対応する掲示板ページ又は投稿ページをダイレクトに表示可能としたことを特徴とする。
【００１５】
【発明の効果】
請求項１の発明では、ネットワーク上で投稿可能な掲示板及び各種情報毎のウェブページを有し、ネットワーク接続により前記ウェブページを選択的に開いて見ることができるネットワークシステムにおいて、前記ネットワーク上での前記ウェブページの場所を示すアドレス情報と前記掲示板への投稿情報とを対応させ、前記アドレス情報に基づく共通性により前記投稿情報をまとめ前記対応するアドレス情報のウェブページに表示することができる。
【００１６】
従って、特定の情報のウェブページを開いているユーザは、アドレス情報に基づく共通性により範囲の特定された投稿情報を即座に見ることを可能として投稿の動機付けを提供し、その内容を確認することによって投稿をするか否かを即座に判断することができる。
【００１７】
このため、掲示板サイトへアクセスしジャンルやカテゴリを選択した上で掲示板を表示させ、投稿するか否かを判断するという手間を簡略化することができ、ネットワーク利用中の掲示板の利用の利便性を格段に向上することができる。
【００１８】
結果的に、多対多型のオープンなコミュニケーションを十分に活性化させることが可能となる。
【００１９】
請求項２の発明では、請求項１の発明の効果に加え、前記アドレス情報は掲示板投稿時に該投稿情報に投稿情報をまとめるための最小単位の名称として該投稿情報にとして付与するＵＲＬであり、前記アドレス情報に基づく共通性はＵＲＬのドメイン及びサブドメインを用い、ドメイン＞サブドメイン＞ＵＲＬの階層構造をカテゴリとして作成し、各階層のカテゴリ毎に前記投稿情報をまとめることができる。
【００２０】
従ってウェブページを見ているユーザは、ドメイン、サブドメイン、ＵＲＬをディレクトリとして利用することにより掲示板を簡単に表示させ、ＵＲＬの共通性により範囲の特定された投稿情報を容易に見ることができる。
【００２１】
しかも、各階層のカテゴリ毎に投稿情報をまとめることによって、同じような趣味嗜好を持ったユーザが集まって投稿情報を容易に見ることができ、掲示板への投稿をより活性化させることができる。
【００２２】
請求項３の発明では、請求項１の発明の効果に加え、前記投稿情報の要素を表示する簡略表示と現に表示しているウェブページに対応した投稿ページにアクセスするための投稿アクセス表示とを備えたツールバーを前記ウェブページに提供し、該提供されたツールバー上での前記投稿情報の簡略表示又は前記投稿アクセス表示のクリックにより対応する掲示板ページ又は前記投稿ページをダイレクトに表示させることができる。
【００２３】
従って、投稿情報の詳細を見ることにより投稿したいと考えたユーザは掲示板ページを表示させ、即座に投稿したいと考えたユーザは投稿ページを即座に表示させることができ、ウェブページ全体に自由に利用できる掲示板が設置されたのと同様の利便性を得ることができる。
【００２４】
請求項４の発明では、ネットワーク上で投稿可能な掲示板及び各種情報毎のウェブページを有し、ネットワーク接続により前記ウェブページを選択的に開いて見ることができるネットワークシステムにおいて、前記ウェブページの提供要求を受け付け、要求のあったウェブページを提供するウェブページ提供手段と、前記ネットワーク上での前記ウェブページの場所を示すアドレス情報と前記掲示板への投稿情報とを対応させ、前記アドレス情報に基づく共通性により前記投稿情報をまとめ前記対応するアドレス情報のウェブページに表示可能とする出力手段とを備えたため、特定の情報のウェブページを開いているユーザは、アドレス情報に基づく共通性により範囲の特定された投稿情報を即座に見ることを可能として投稿の動機付けを提供し、その内容を確認することによって投稿をするか否かを即座に判断することができる。
【００２５】
このため、掲示板サイトへアクセスしジャンルやカテゴリを選択した上で掲示板を表示させ、投稿するか否かを判断するという手間を簡略化することができ、ネットワーク利用中の掲示板の利用の利便性を格段に向上することができる。
【００２６】
結果的に、多対多型のオープンなコミュニケーションを十分に活性化させることが可能となる。
【００２７】
請求項５の発明では請求項４の発明の効果に加え、前記アドレス情報は前記掲示板投稿時に投稿情報をまとめるための最小単位の名称として該投稿情報に付与するＵＲＬであり、前記アドレス情報に基づく共通性はＵＲＬのドメイン及びサブドメインを用い、ドメイン＞サブドメイン＞ＵＲＬの階層構造をカテゴリとして作成し、前記出力手段は各階層のカテゴリ毎に前記投稿情報をまとめるため、ウェブページを見ているユーザは、ドメイン、サブドメイン、ＵＲＬをディレクトリとして利用することにより掲示板を簡単に表示させ、ＵＲＬの共通性により範囲の特定された投稿情報を容易に見ることができる。
【００２８】
しかも、各階層のカテゴリ毎に投稿情報をまとめることによって、同じような趣味嗜好を持ったユーザが集まって投稿情報を容易に見ることができ、掲示板への投稿をより活性化させることができる。
【００２９】
請求項６の発明では、請求項５の発明の効果に加え、前記ウェブページに前記投稿情報の要素の簡略表示と現に表示しているウェブページに対応した投稿ページにアクセスするための投稿アクセス表示とを備えたツールバーを前記ウェブページに提供するツールバー提供手段を備え、該ツールバー提供手段により提供されたツールバー上での前記投稿情報の簡略表示又は前記投稿アクセス表示のクリックにより前記掲示板ページ又は投稿ページをダイレクトに表示させることができる。
【００３０】
従って、投稿情報の詳細を見ることにより投稿したいと考えたユーザは掲示板ページを表示させ、即座に投稿したいと考えたユーザは投稿ページを即座に表示させることができ、ウェブページ全体に自由に利用できる掲示板が設置されたのと同様の利便性を得ることができる。
【００３１】
【発明の実施の形態】
図１は本発明の一実施形態に係る掲示板情報表示システムの概念図を示している。本発明の一実施形態に係る掲示板情報表示方法は、図１の掲示板情報表示システムによって実現することができる。
【００３２】
図１のようにネットワークシステムとしてインターネットシステム上にウェブサーバ１を備えている。ウェブサーバ１にはデータベースサーバ（ＤＢサーバ）３と広告サーバ５とが接続されている。
【００３３】
前記ウェブサーバ１にはインターネットを介してユーザ９側の端末装置１１が接続されるようになっている。端末装置１１としては例えばパーソナルコンピュータで構成されている。但し、端末装置１１は携帯電話など携帯通信端末で構成することもできる。
【００３４】
前記データベースサーバ３には、掲示板及び各種情報毎のウェブページが記憶されている。前記掲示板はインターネット上で投稿可能となっている。
【００３５】
そして、インターネット接続により前記ウェブページを選択的に開いて見ることができる。すなわち、ユーザ９の操作する端末装置１１によって任意のＵＲＬのウェブページの提供要求（リクエスト）をウェブサーバ１が受け付ける。ウェブサーバ１はＵＲＬに対応するウェブページをデータベースサーバ３から発信データとして読み込む。読み込まれたデータはユーザ９側の端末装置１１に発信データとして送られ、端末装置１１のブラウザに任意のＵＲＬページであるウェブページ１３として表示される。従って、ウェブサーバ１及びデータベースサーバ３は、本実施形態においてウェブページの提供要求を受け付け、要求のあったウェブページを提供するウェブページ提供手段を構成している。
【００３６】
前記端末装置１１のブラウザには同時にツールバー１５が表示されている。このツールバー１５は、ウィンドウズ（登録商標）（Ｗｉｎｄｏｗｓ（登録商標））インターネットエクスプローラ（Ｉｎｔｅｒｎｅｔ　Ｅｘｐｌｏｒｅｒ）のツールバーの機能が利用されている。ツールバー１５については後述する。
【００３７】
前記端末装置１１のウェブページ１３上において掲示板ページの表示がリクエストされると、前記同様にウェブサーバ１がデータベースサーバ３からＵＲＬにリンクした掲示板ページを読み込み、ブラウザにＨＴＭＬ送信する。この送信によりブラウザにＵＲＬにリンクした掲示板ページ１３Ａが表示され、ページ更新が行われる。この掲示板ページ１３Ａでは投稿が可能であり、投稿がなされるとウェブサーバ１はインターネット上での各種提供者のウェブページの場所を示すアドレス情報すなわちＵＲＬと前記掲示板への投稿情報とを対応させ、前記ＵＲＬに基づく共通性により前記投稿情報をまとめ、データベースサーバ３に記憶させる。またウェブサーバ１は前記ＵＲＬの共通性によりまとめられ範囲の特定された投稿情報を対応するＵＲＬのウェブページに表示可能となっている。従って、前記ウェブサーバ１は、本実施形態において出力手段を構成している。尚、ＵＲＬの共通性によってまとめられ範囲の特定された投稿情報のウェブページへの表示形態については後述する。
【００３８】
前記広告サーバ５は配信管理用であり広告主のユーザ登録等によって広告作成、変更等の配信管理を行うものである。広告サーバ５で作成された広告はユーザからのリクエストに基づいて広告配信用の広告サーバ７からＨＴＭＬ送信により配信されるようになっている。
【００３９】
すなわち、広告サーバ５のデータベースには、広告主によって指定されたＵＲＬに対応して前記作成された広告が記憶されている。前記ブラウザに表示されたウェブページ１３のＵＲＬが広告サーバ５によって監視され、広告データとしてウェブサーバ１を介して送信されツールバー１５に広告が掲載される。ツールバー１５への広告の掲載は後述する。
【００４０】
またユーザ９が端末装置１１のツールバー１５上の操作で広告ページの配信のリクエストを行うと、広告サーバ７がＨＴＭＬ送信を行い、端末装置１１のブラウザに広告ページ１３Ｂが表示され、ページ更新が行われる。前記ツールバー１５上での操作による広告ページへのアクセス情報は、前記配信管理用の広告サーバ５に送信され、配信管理が行われる。
【００４１】
図２は本発明実施形態のページ構成の一例を示す説明図である。図２のように、前記掲示板ページ１３Ａは、「掲示板トップ」のページ１７、「カテゴリ：レベル１」のページ１９、「カテゴリ：レベル２」のページ２１、「トピック」のページ２３、「コメント投稿」のページ２５を備えている。
【００４２】
前記「カテゴリ：レベル１」のページ１９は、ＵＲＬのドメインの共通性により投稿情報をまとめ、その結果として前記ドメインの一覧を表示するページである。前記「カテゴリ：レベル２」のページ２１は、ＵＲＬのサブドメインの共通性により投稿情報をまとめ、その結果として前記サブドメインの一覧を表示するページである。前記「トピック」のページ２３は、ＵＲＬによってまとめられた投稿情報を表示するページである。前記「コメント投稿」のページ２５は、ユーザがコメントを投稿するページである。
【００４３】
前記掲示板ページ１３Ａは、その他、「検索」のページ２７、「新着コメント」のページ２９、「発言ランキング」のページ３１、「ご感想・お問い合わせ」のページ３３、「ヘルプ」のページ３５、「新着トピック」のページ３７、「投稿削除ログ」のページ３９を有している。
【００４４】
前記広告ページ１３Ｂは、「広告配信トップ」のページ４１、「広告掲載について」のページ４３、「ユーザ登録」のページ４５、「ログイン」のページ４７、「広告配信管理」のページ４９、「広告作成」のページ５１、「広告変更」のページ５３、「広告」のページ５５を備えている。
【００４５】
前記「広告配信トップ」のページ４１は、広告ページ１３Ｂの最初に表示されるページである。前記「広告掲載について」のページ４３は、ウェブページに広告掲載する場合の注意事項、広告掲載の案内等についてのページである。前記「ユーザ登録」のページ４５は、広告主が広告作成を行う場合にユーザ登録をするページである。前記「ログイン」のページ４７は、ユーザ登録をした後、ニックネーム、パスワード等の入力によってログインするページである。前記「広告配信管理」のページ４９は、広告主が広告を表示したりＵＲＬを特定することなどを行うページである。前記「広告作成」のページ５１は、広告主が広告を作成するページである。前記「広告変更」のページ５３は、作成した広告を変更するページである。前記「広告」のページ５５は、前記作成された広告を広告主によって特定されたＵＲＬのウェブページに表示するページである。
【００４６】
前記広告ページ１３Ｂは、その他、「新着トピック」のページ５７、「クリックランキング」のページ５９を備えている。
【００４７】
本実施形態においては、前記ツールバー１５上の操作でコメント投稿のページ２５にページ更新することができる。またツールバー１５上の操作で「コメントリスト＋ＰＲ」のボックス６３を表示し、最大５件のコメントリストと１件の広告を見ることができる。このツールバー１５上の広告をクリックすると、広告のリクエストがなされたとして、広告のページ５５がブラウザに表示される。
【００４８】
図３は、前記掲示板トップのページ１７を示している。掲示板トップのページ１７には、「ＷｅｂＧｒａｆｆｉｔｉロゴ」の表示６５、サービス紹介テキストの表示６７、ツールバーのダウンロードの表示６９、新着コメントの表示７１、新着トピックの表示７３、発言ランキングの表示７５、全トピックの一覧ページへのアクセス表示７７、検索の表示７９、その他、各項目へのリンク表示８１などを有している。
【００４９】
前記「ＷｅｂＧｒａｆｆｉｔｉロゴ」の表示６５には、ロゴが表示されている。ここで「ＷｅｂＧｒａｆｆｉｔｉ」は、後述するツールバーの管理提供業者である。前記「サービス紹介テキスト」の表示６７には、サービス内容の紹介が行われている。前記ツールバーのダウンロードのアクセス表示６９は、クリックによって後述するツールバーのダウンロードのページへページ更新される。前記新着コメントの表示７１には、全カテゴリの新着順に１０件のコメントが投稿情報として表示されている。前記新着トピックの表示７３には、全カテゴリの新着順に１０件のトピックが表示されている。前記発言ランキングの表示７５には、全カテゴリの発言数の多い順に１０件のトピックが表示されている。
【００５０】
前記表示７１，７３，７５の何れかをクリックすると図４のページを表示してページ更新が行われ、ドメインの一覧を表示することができる。
【００５１】
前記全トピックの一覧ページのアクセス表示７７では、クリックによって全トピックを表示した一覧ページにページ更新される。前記検索の表示７９では、検索キーワードの入力に基づき検索結果のページにページ更新されるようになっている。その他、各項目へのリンク表示８１では、クリックによって各項目のページにリンクするようになっている。
【００５２】
図４〜図７は階層構造のカテゴリによるページを示すもので、図４は前記カテゴリ：レベル１のページ１９、図５は前記カテゴリ：レベル２のページ２１、図６はトピック一覧のページ、図７は前記トピックのページ２３のそれぞれ説明図である。
【００５３】
本実施形態では、各ウェブページのアドレス情報であるＵＲＬを、該ウェブページの掲示板への投稿時に投稿情報をまとめるための最小単位の名称（以下「トピック名」と称す）として付与し、該ＵＲＬのドメイン及びサブドメインを用い、ドメイン＞サブドメイン＞ＵＲＬの階層構造をカテゴリとして作成し、アドレス情報に基づく共通性としている。
【００５４】
そして前記出力手段であるウェブサーバ１では、各階層のカテゴリ毎に前記投稿情報をまとめるものである。すなわち図４のカテゴリ：レベル１のページ１９では、階層構造の最も大きなカテゴリとしてＵＲＬのドメインを用いたもので、カテゴリ一覧として、例えば「ｙａｈｏｏ．ｃｏ．ｊｐ」「ｌｙｃｏｓ．ｃｏ．ｊｐ」「ａｓａｈｉ．ｃｏｍ」などのドメインが一覧表示されている。そしてこの各ドメイン毎に投稿情報としてトピックがまとめられている。
【００５５】
このドメインのいずれかをクリックすると、そのドメインのついたサブドメインの一覧が図５のように前記カテゴリ：レベル２のページとして表示される。
【００５６】
本実施形態では、図４において「ｙａｈｏｏ．ｃｏ．ｊｐ」をクリックした場合を示している。従って、図５では「ａｕｃｔｉｏｎ．ｙａｈｏｏ．ｃｏ．ｊｐ」「ｂｏｏｋｓ．ｙａｈｏｏ．ｃｏ．ｊｐ」「ｃｈａｔ．ｙａｈｏｏ．ｃｏ．ｊｐ」等のサブドメインの一覧が表示されている。そして、この掲示板投稿時に付与されたＵＲＬに含まれるサブドメイン毎にトピックがまとめられている。従って、ユーザは各サブドメイン毎にまとめられたトピックの一覧を簡単に見ることができる。
【００５７】
この図５のページにおいて、カテゴリとして示されている「ｙａｈｏｏ．ｃｏ．ｊｐ」をクリックすると、図４のカテゴリ：レベル１のページへ戻ることができる。図５のページにおいて、いずれかのサブドメインをクリックすると、図６のトピック一覧のページ８３へページ更新することができる。
【００５８】
図６のトピック一覧のページ８３での表示項目は、例えば「Ｎｏ」「ＵＲＬ」「タイトル」「更新時間」「発言」としている。トピックタイトルはＵＲＬがそのまま用いられている。タイトルにはＵＲＬタイトルが表示される。表示件数は、例えば更新時間順に５０件としている。
【００５９】
図６のトピック一覧のページ８３において、カテゴリとして示されている「カテゴリ２（サブドメイン）」をクリックすると、図５のページに戻ることができる。また、いずれかのトピックタイトルをクリックすると、図７のトピックのページ２３へページ更新することができる。
【００６０】
図７のトピックページ２３での表示項目は、例えば「Ｎｏ」「ＵＲＬ」「タイトル」「投稿時間」「ニックネーム」「削除」「本文」であり、投稿時間順に最新のものから５０件表示している。そして、見出し８５として示されたトピックタイトルをクリックすると、図６の元のページに戻ることができる。
【００６１】
そしてユーザは図７で表示された各トピックのコメント本文を見ることができる。このコメント本文を見ることによって、投稿したいと考えるユーザは、「コメントを投稿する」をクリックすることによって図２の「コメント投稿」のページ２５へ移行することができる。ユーザが「コメント投稿」のページ２５において投稿を行うと、前記のようにウェブサーバ１において現に表示されているウェブページのＵＲＬが解析され、ドメイン＞サブドメイン＞ＵＲＬの階層構造がカテゴリとして自動的に作成される。
【００６２】
このように本発明の実施形態では、インターネット上で投稿可能な掲示板を備えた各種情報毎のウェブページを有し、前記インターネット上での前記ウェブページの場所を示すＵＲＬと前記掲示板への投稿情報とを対応させ、前記ＵＲＬに基づく共通性により前記投稿情報をまとめ、前記対応するウェブページに前記投稿情報を表示することができる。
【００６３】
従って、特定の情報のウェブページを開いているユーザは、ＵＲＬに基づく共通性により範囲の特定された投稿情報を即座に見ることを可能として投稿の動機付けが提供され、投稿情報の内容を確認することによって投稿をするか否かを即座に判断することができる。
【００６４】
このため、掲示板サイトへアクセスしジャンルやカテゴリを選択した上で掲示板を表示させ、投稿するか否かを判断するという手間を簡略化することができ、ネットワーク利用中の掲示板の利用の利便性を格段に向上することができる。
【００６５】
結果的に、多対多型のオープンなコミュニケーションを十分に活性化させることが可能となる。
【００６６】
またＵＲＬを、掲示板投稿時に該投稿情報にトピック名として付与し、ＵＲＬのドメイン及びサブドメインを用い、ドメイン＞サブドメイン＞ＵＲＬの階層構造をカテゴリとして作成し、各階層のカテゴリ毎に前記投稿情報をまとめることができる。
【００６７】
従ってウェブページを見ているユーザは、ドメイン、サブドメイン、ＵＲＬをディレクトリとして利用することにより掲示板を簡単に表示させ、ＵＲＬの共通性により範囲の特定された投稿情報を容易に見ることができる。
【００６８】
しかも、ＵＲＬには「スポーツ」「ニュース」等のジャンル、カテゴリが含まれており、各階層のカテゴリ毎に投稿情報をまとめることによって、同じような趣味嗜好を持ったユーザが集まって投稿情報を容易に見ることができ、掲示板への投稿をより活性化させることができる。
【００６９】
さらに発明の実施形態においては、特に前記ツールバー１５を提供することによって、掲示板利用の活性化をより拡大することができる。
【００７０】
図８はツールバーの一例を示し、（ａ）は投稿がない場合、（ｂ）は投稿がある場合、（ｃ）は（ａ）又は（ｂ）において「投稿」もしくは「コメントを投稿する」をクリックした場合のツールバーの状態を示す説明図である。
【００７１】
前記ツールバー１５は、前記のようにしてウェブサーバ１からダウンロードすることができる。ツールバー１５には、「ＷｅｂＧｒａｆｆｉｔｉ」の表示８５、投稿の有る無しの表示８７、投稿情報の要素又は広告の要素を簡略表示する簡略表示窓８９、「投稿」の表示９１、「新着」の表示９３、「ランキング」の表示９５、「検索」の表示９７を有している。
【００７２】
前記「ＷｅｂＧｒａｆｆｉｔｉ」の表示８５では、そのマーク８５ａをクリックすると、拡大されたボックス８５ｂが表示される。このボックス８５ｂ内の項目のクリックによって、掲示板トップのページ、オプション及びインフォメーションのページ等へのリンクを行うことができる。
【００７３】
前記投稿の有る無しの表示８７では、投稿が無い場合にグレー、投稿が有る場合にグリーンとなるなどして、投稿の有無を一目で確認できるようにしている。前記簡略表示窓８９において、（ａ）のトピックに投稿が無い場合には、広告の要素が簡略表示されることになる。（ｂ）のようにトピックに投稿が有る場合には、最新の投稿情報であるコメント内容の要素が簡略表示される。この場合、簡略表示窓８９のマーク８９ａをクリックすることによってボックス８９ｂを表示することができる。このボックス８９ｂによって、例えば文字数３５文字以内の投稿情報としてのコメントが最大５件まで表示される。またボックス８９ｂ内には、例えば文字数３２文字以内の広告１件が表示される。広告の文頭には（ＰＲ）の文字が挿入される。さらにボックス８９ｂ内には、「コメントを投稿する」の表示がなされる。
【００７４】
前記ボックス８９ｂ内のコメント内容をクリックしたときは、ＵＲＬにリンクした前記掲示板の「トピック」のページ２３がダイレクトに表示される。また、ボックス８９ｂ内の広告をクリックした場合には、その広告主の指定する広告ページ１３Ｂを表示することができる。
【００７５】
前記「投稿」の表示９１をクリックした場合、或いはボックス８９ｂ内の「コメントを投稿する」の表示をクリックした場合には、簡略表示窓８９内が（ｃ）のようにコメント入力ボックスに変化する。従って、「投稿」の表示９１或いはボックス８９ｂ内の「コメントを投稿する」の表示は、投稿アクセス表示となっている。
【００７６】
これらによりツールバー１５は、投稿情報の要素の簡略表示と現に表示しているウェブページの投稿ページにアクセスするための投稿アクセス表示とを備えた構成となっている。
【００７７】
前記「新着」の表示９３をクリックしたときには、新着情報の表示が行われる。この表示は掲示板の「新着コメント」のページ２９の表示となり、新着のコメントが表示される。前記「ランキング」の表示９５がクリックされたときには、掲示板の「発言ランキング」のページ３１が表示され、各トピックの発言数が多い順に表示される。前記「検索」の表示９７がクリックされたときには、掲示板の「検索」のページ２７が表示される。
【００７８】
前記「投稿」の表示９１あるいはボックス８９ｂ内の「コメントを投稿する」の文字がクリックされ、簡略表示窓８９が（ｃ）のように入力ボックスに変化した場合、テキストの入力後に「投稿」の表示９３を押すと投稿が完了する。入力時の「投稿」の表示９３は、入力ボックス８９にテキストが入力されている場合のみクリック可とし、テキストが入力されていない場合はグレー表示でクリック不可としている。前記「投稿ページ表示」の表示９９をクリックしたときには、前記掲示板の「コメント投稿」のページ２５が表示される。
【００７９】
前記のようにしてウェブページを見ているユーザは、掲示板を見ることなく、ツールバー１５上においてコメントの要素を見ることができる。また、ユーザが投稿したいと思ったときに、「投稿」の表示９１或いはボックス８９ｂ内の「コメントを投稿する」の表示をクリックすれば、直ちにコメントを投稿することができる。
【００８０】
従って、従来、インターネット利用中に掲示板を利用したいと思ったユーザは、掲示板サイトへアクセスし、ジャンルやカテゴリを選択した上で投稿するという手間が必要となっていたのに対し、本発明実施形態ではこれを省略することができ、インターネット利用中に前記のようにしてツールバー１５から掲示板ページ１３Ａや「コメント投稿」のページ２５をダイレクトに表示させ、コメント内容を見たり、コメントを書き込むことができる。このためウェブページ全体に自由に利用できる掲示板が設置されたのと同じ利便性を提供することができる。
【００８１】
こうして、多対多型のオープンなコミュニケーションの利用にかかる手間が著しく減少し、その結果コミュニケーションのための敷居が低くなり、システムを利用するユーザの比率が極めて高くなる。さらにシステムを利用するユーザ層や頻度の制限が少なくなることにより、多対多型のオープンなコミュニケーションが十分に活性化されることになる。
【００８２】
なお、前記掲示板を見たり、コメントを投稿する場合には、通常通り掲示板ページ１３Ａにアクセスし、掲示板トップ１７からドメイン、サブドメイン、ＵＲＬをディレクトリとして利用し、トピック一覧、或いはトピックのコメント内容を表示させ、さらに「コメント投稿」のページ２５を開いてコメントの投稿を行うことが可能である
さらに本実施形態では、ツールバー１５に広告を表示し、表示された広告を選択した場合、その広告主の指定ページを表示することができ、広告主が広告を掲載したいウェブサイトに対応した形で広告を掲載することができる。その結果、広告の費用対効果が十分に発揮される。またブラウザ側で広告を表示するため、広告を掲載できる回数が飛躍的に増大する。
【００８３】
すなわち、従来では広告主が希望しても広告の掲載を許可しないウェブサイトには広告を掲載することができなかった。その結果、広告の費用対効果が十分に発揮されない可能性が高まっていた。さらに広告の掲載を許可しないウェブサイトには広告を掲載できないことから、広告を掲載できる回数が少なくなるというような問題があった。しかし、前記のような構造にすることによってこれを改善することができた。
【００８４】
図９〜図１２は本発明の一実施形態に係るフローチャートを示し、図９は掲示板のフローチャート、図１０は広告のフローチャート、図１１は掲示板を利用するユーザのアクションフローチャート、図１２は掲示板管理者のアクションフローチャートである。
【００８５】
まず図９の掲示板のフローチャートでは、左側にブラウザ側、右側にサーバ側を示している。ユーザ側の端末装置１１においてブラウザが立ち上げられ、任意のウェブページ１３が表示されると、該ウェブページ１３の固有のＵＲＬがＵＲＬ情報として送信され、ステップＳ１において「検索＋判断」の処理が実行される。この処理によって前記図１のデータベースサーバ３に記憶されている掲示板データベース３ＡにＵＲＬに対応した投稿データがあるかどうかの検索、判断が行われる。
【００８６】
ステップＳ１の判断において、掲示板データベース３ＡにＵＲＬに対応したデータが存在する場合には、投稿データとして前記端末装置１１のツールバー１５に送信され、前記図８のように簡略表示窓８９にコメントの簡略表示がなされ、ボックス８９ｂ内に最大５件のコメントの要素と１件の広告が表示される。
【００８７】
前記ステップＳ１の処理によって、前記掲示板データベース３Ａに投稿データが無いと判断された場合には、広告のみがデータとして送信され、前記ツールバー１５の簡略表示窓８９に簡略表示され、ボックス８９ｂ内に表示されることになる。
【００８８】
前記ツールバー１５に表示されたコメントをクリックすると、前記掲示板データベース３Ａから掲示板ページ１３Ａが読み込まれ、ユーザ側の端末装置１１のブラウザに掲示板トピックページ１３Ｃ（「トピック」のページ２３）がダイレクトに表示される。
【００８９】
また前記ツールバー１５上で図８のように「投稿」の表示９１あるいはボックス８９ｂ内の「コメントを投稿する」がクリックされたときには、図９において掲示板データベース３Ａから掲示板ページ１３Ａが読み込まれ、端末装置１１のブラウザに掲示板投稿ページ１３Ｄ（「コメント投稿」のページ２５）が表示される。これによってユーザは、ウェブページを見ながら即座に投稿ページを表示し、投稿を簡単に行うことができる。この場合、ユーザ登録は特に必要とされない。
【００９０】
前記掲示板トピックページ１３Ｃにおいて、投稿削除がクリックされると、端末装置１１のブラウザには掲示板ログインページ１３Ｅが表示される。この掲示板ログインページ１３Ｅでは、ニックネームとパスワードとが入力され、確認メールで認証データ送信が行われる。この認証データ送信によってステップＳ２において認証の判断が行なわれる。この認証は認証データがユーザデータベース１０１にあるかどうかの確認により行われ、認証データがある場合には投稿削除ページ送信を行い、端末装置１１のブラウザに掲示板投稿削除ページ１３Ｆを表示する。この表示によって、ユーザは適切でないと考えると投稿を削除することができる。
【００９１】
ステップＳ２において、ユーザデータベース１０１に認証データが存在しないと判断されたときには、ユーザ登録を行わせるために登録ページ送信を行い、端末装置１１に掲示板ユーザ登録ページ１３Ｇを表示する。この表示により、ユーザはニックネーム、メールアドレス等の入力を行い、確認メールを受領することによってユーザ登録が完了する。ユーザー登録完了後は、前記掲示板ログインページ１３Ｅによって再びログインを行い、前記のようにして認証を行う。
【００９２】
図１０の広告のフローチャートでは、前記同様ブラウザ側とサーバ側とが示されている。前記同様、ユーザ側の端末装置１１のブラウザで任意のウェブページ１３が表示されると、該ウェブページの固有のＵＲＬが送信され、ステップＳ３において該ＵＲＬに応じた広告の検索が行われる。広告配信管理データベース１０３に前記ＵＲＬ情報に応じた広告があるときはデータとして広告データ送信が行われ、ツールバー１５の前記簡略表示８９及びボックス８９ｂに広告が表示される。
【００９３】
ステップＳ４では広告配信データを受け取り、ログ処理を行って前記広告配信管理データベース１０３に記憶させる。このログ処理は、前記ツールバー１５での広告のクリック回数等である。
【００９４】
ステップＳ５では、図８のボックス８９ｂ内で広告がクリックされたときに現に表示されているウェブページのＵＲＬを受け取り、ＨＴＭＬリクエストの処理を行う。この処理によって、広告配信サーバ１０５からＨＴＭＬ変換された広告ページ送信が行われ、端末装置１１のブラウザに広告ページが表示され、ユーザは広告主の作成した広告ページを見ることができる。
【００９５】
前記掲示板を利用するユーザのアクションは、図１１のようになっている。まず、ステップＳ１１において「認知」の実行をする。この「認知」の実行では、ウェブやメールを通じて「ＷｅｂＧｒａｆｆｉｔｉ」のＵＲＬを認知取得する。
【００９６】
ステップＳ１２では、「アクセス」を実行する。この「アクセス」では、「ＷｅｂＧｒａｆｆｉｔｉ」のＵＲＬにアクセスする。
【００９７】
ステップＳ１３では、「セットアップ」の処理を実行する。この「セットアップ」では、前記のようにして「ＷｅｂＧｒａｆｆｉｔｉ」のツールバーをウェブサーバ１からダウンロードしてセットアップする。
【００９８】
ステップＳ４では、「閲覧」が実行される。「閲覧」では、前記のようにしてツールバーから投稿コメント及び広告内容を閲覧する。「掲示板閲覧」が実行されたときには、ステップＳ５のように閲覧時に表示されたＵＲＬに対応した掲示板を閲覧することになる。「広告閲覧」が実行されたときにはステップＳ６において前記のようにクリックした広告のページを閲覧することになる。前記「投稿」が行われたときにはステップＳ１７のように閲覧時に表示されたＵＲＬに対応した掲示板にコメントが投稿される。
【００９９】
さらにユーザは、投稿を削除することが可能であり、ステップＳ１８において「ログイン」によって投稿削除のためのログインを行う。この「ログイン」は例えばニックネーム、パスワードの項目で認証が行われる。
【０１００】
次いでステップＳ１９において「ユーザ登録」が実行され、投稿削除のためのユーザ登録が行われる。このユーザ登録は例えばニックネーム（全角１０文字以内）、メールアドレス、氏名、ふりがな、郵便番号、住所、会社、部署、電話番号等によって行われる。この場合、ユーザパスワード確認、パスワード変更、登録内容変更は、ユーザ側で自己管理することができる。但し、ニックネームの変更は不可としている。
【０１０１】
ユーザ登録後、ステップＳ２０において「投稿削除」が実行され、掲示板の投稿内容の削除が行われる。
【０１０２】
図１２の掲示板管理者のアクションフローでは、まずステップＳ２１の「問い合わせ」の実行によりツールバー及び掲示板に設置した「問い合わせ」メニューからのメールを受領する。メールが「削除依頼」であるときにはステップＳ２２において利用規約違反の投稿の削除依頼と判断し、ステップＳ２３において「削除方法の通知」を実行し、投稿削除の方法をユーザに通知する。
【０１０３】
前記ステップＳ２１で受領したメールの内容が「削除へのクレーム」であるときには、ステップＳ２４において不正な削除に対するクレームと判断し、ステップＳ２５において「確認」を行い、削除が不正であったかどうかを確認する。ステップＳ２５での確認後は、ステップＳ２６へ移行する。
【０１０４】
前記ステップＳ２１でのメールの内容が「その他」であるときには、ステップＳ２７においてウェブやメールを通じて「ＷｅｂＧｒａｆｆｉｔｉ」のＵＲＬを認知し、ステップ２８の「回答」の実行により各問い合わせ内容に応じて回答を行う。
【０１０５】
ステップＳ２９の「削除チェックメール」の実行では、投稿が削除された際、削除理由と投稿内容とＵＲＬのメールとを受領する。この受領によりステップＳ３０の「確認」により、削除チェックメールを確認して、不正な削除がないかどうかを確認し、ステップＳ２６へ移行する。
【０１０６】
ステップＳ２６では「ログイン」が実行され、管理者ＩＤでログインが行われ、ステップＳ３１へ移行する。ステップＳ３１の「検索」によって不正削除を行ったユーザを検索し、ステップＳ３２の「登録抹消」により不正削除を行ったユーザの登録を抹消する。これらによって掲示板管理者により投稿内容の不正な削除を防止することができる。
【０１０７】
なお、本発明は上記実施形態に限定されるものではない。例えば、前記ツールバーは、ネットスケープ等インターネットエクスプローラ以外のブラウザーソフトにおいても同様の機能を提供するアプリケーションを提供することで、インターネットエクスプローラのツールバー同様の効果を実現することができる。
【図面の簡単な説明】
【図１】本発明の一実施形態に係る概念図である。
【図２】一実施形態に係るページ構成の説明図である。
【図３】一実施形態に係り、掲示板トップのページの説明図である。
【図４】一実施形態に係り、カテゴリ：レベル１のページの説明図である。
【図５】一実施形態に係り、カテゴリ：レベル２のページの説明図である。
【図６】一実施形態に係り、トピック一覧のページの説明図である。
【図７】一実施形態に係り、トピックのページの説明図である。
【図８】一実施形態に係るツールバーを示し、（ａ）は投稿が無い場合、（ｂ）は投稿が有る場合、（ｃ）は「投稿」もしくは「コメントを投稿する」をクリックした場合の説明図である。
【図９】一実施形態に係り、掲示板のフローチャートである。
【図１０】一実施形態に係り、広告のフローチャートである。
【図１１】一実施形態に係り、掲示板に関するユーザのアクションフローチャートである。
【図１２】一実施形態に係り、掲示板管理者のアクションフローチャートである。
【符号の説明】
１　ウェブサーバ（ウェブページ提供手段、出力手段、ツールバー提供手段）
３　データベースサーバ（ウェブページ提供手段）
【図１】
2004102470.tif 000003
【図２】
2004102470.tif 000004
【図３】
2004102470.tif 000005
【図４】
2004102470.tif 000006
【図５】
2004102470.tif 000007
【図６】
2004102470.tif 000008
【図７】
2004102470.tif 000009
【図８】
2004102470.tif 000010
【図９】
2004102470.tif 000011
【図１０】
2004102470.tif 000012
【図１１】
2004102470.tif 000013
【図１２】
2004102470.tif 000014